(57)【要約】【課題】種々の用途に適応可能な機能性を持つ汎用型のワイヤハーネス組立用治具を得る。【解決手段】条片状の基台１１には、Ｘ軸である長手水平方向に沿って、ブロック状のＸ軸摺動部材２１が移動自在に配置されている。Ｘ軸摺動部材２１にはＹ軸方向にＹ軸摺動部材３１が移動自在とされている。Ｙ軸摺動部材３１上にはＺ軸方向に向けてＺ軸移動部材４１のねじ軸４２が螺合されている。このねじ軸４２の上端には、Ｕ字型部材４３を有する電線支持部４４が固定されている。Ｘ軸摺動部材２１、Ｙ軸摺動部材３１、Ｚ軸移動部材４１はそれぞれ任意の位置で固定できるようになっている。【選択図】図１
2008066223.tif 000002
【特許請求の範囲】
【請求項１】
ハーネス組立板上に固定する基台と、該基台上を水平Ｘ軸方向に摺動可能なＸ軸摺動部材と、該Ｘ軸摺動部材に嵌合しＸ軸と直交する水平Ｙ軸方向に摺動可能なＹ軸摺動部材と、該Ｙ軸摺動部材に対しＺ軸方向に螺合する軸部を備え、該軸部の螺合により上下動可能なＺ軸部材と、該Ｚ軸部材の上端に固定した電線支持部とを備えたことを特徴とするワイヤハーネス組立用治具。
【請求項２】
前記Ｘ軸摺動部材、前記Ｙ軸摺動部材は摺動を固定するロック手段を備え、前記Ｚ軸部材は前記軸部の回転を固定するロック手段を備えたことを特徴とする請求項１に記載のワイヤハーネス組立用治具。
【請求項３】
前記Ｘ軸摺動部材には、該Ｘ軸摺動部材のＸ軸方向のみの摺動に対する第１のロック手段と、前記Ｘ軸摺動部材のＸ軸方向の摺動に対しロックすると共に前記Ｙ軸摺動部材のＹ軸方向の摺動をロックする第２のロック手段を備えたことを特徴とする請求項２に記載のワイヤハーネス組立用治具。
【請求項４】
前記基台は前記ハーネス組立板上に固定部材により固定することを特徴とする請求項１に記載のワイヤハーネス組立用治具。
【請求項５】
前記固定部材は９０度回動可能な構造とし、前記ハーネス組立板に固定した前記基台を横倒しにすることを可能とした請求項４に記載のワイヤハーネス組立用治具。
【請求項６】
前記電線支持部は前記Ｚ軸部材に対し交換可能としたことを特徴とする請求項１に記載のワイヤハーネス組立用治具。
【発明の詳細な説明】
【技術分野】
【０００１】
本発明は、ハーネス組立板上において、例えば自動車のワイヤハーネスを組み立てる場合に、電線を回路に応じて区分し仮保持するためのワイヤハーネス組立用治具に関するものである。
【背景技術】
【０００２】
特許文献１には、図７に示すように上端にＵ字部１を有し、下端をボルト２とした多種の大きさの合成樹脂材と金属材を組み合わせた治具３が利用され、１個のワイヤハーネス組立板には１００本を越す治具３が取り付けられて使用される。
【０００３】
図８に示すように、ワイヤハーネス組立板４上には回路に応じて多数本の治具３が固定され、治具３のＵ字部内には、回路の行先に応じて複数本の電線束５が掛け渡され、電線束５は例えば行先別に区分けがなされ、テーピングされる。
【０００４】
しかし、電線束５の位置は組立板４上において、治具３ごとに任意のＸＹ方向の位置、高さＺ方向に位置を定める必要があり、位置決め可能な治具３を準備しなければならない。
【０００５】
また、特許文献２、３には或る程度の位置調整が可能な組立用治具が開示されている。
【０００６】
【特許文献１】実用新案登録第２５８８１３６号公報
【特許文献２】特開平７−３２６２３７号公報
【特許文献３】特開２０００−１６４０５４号公報
【発明の開示】
【発明が解決しようとする課題】
【０００７】
しかし、上述の特許文献２、３の組立用治具は、ＸＹＺ全ての方向に対し可動することができないとか、構造が複雑で高価となる問題点がある。
【０００８】
本発明の目的は、上述の課題を解消し、種々の用途に適応可能な機能性を持つ汎用型のワイヤハーネス組立用治具を提供することにある。
【課題を解決するための手段】
【０００９】
上述の目的を達成するための本発明に係るワイヤハーネス組立用治具の技術的特徴は、ハーネス組立板上に固定する基台と、該基台上を水平Ｘ軸方向に摺動可能なＸ軸摺動部材と、該Ｘ軸摺動部材に嵌合しＸ軸と直交する水平Ｙ軸方向に摺動可能なＹ軸摺動部材と、該Ｙ軸摺動部材に対しＺ軸方向に螺合する軸部を備え、該軸部の螺合により上下動可能なＺ軸部材と、該Ｚ軸部材の上端に固定した電線支持部とを備えたことにある。
【発明の効果】
【００１０】
本発明に係るワイヤハーネス組立用治具によれば、任意な位置、方向に電線支持部を配置することができる。
【発明を実施するための最良の形態】
【００１１】
本発明を図１〜図６に図示の実施例に基づいて詳細に説明する。
図１は実施例によるワイヤハーネス組立用治具の斜視図を示し、条片状の基台１１には、Ｘ軸である長手水平方向に沿って、上方に開口１２を有する蟻溝１３が形成され、また基台１１の両側部には長手方向に沿って、側方に向けた開口１４を有する空洞部１５が形成されている。また、基台１１の複数個所には、基台１１をハーネス組立板に固定するための固定孔１６が穿孔されている。
【００１２】
図２、図３に示すように、基台１１上にブロック状のＸ軸摺動部材２１が配置され、Ｘ軸摺動部材２１の側部には基台１１の側方に折れ曲がり、開口１４の上端に達する側板２２が形成されている。蟻溝１３中には、蟻溝１３の形状に合致した２個のナット２３が挿入され、Ｘ軸摺動部材２１の上面から開口１２を介して挿入された２本のボルト２４が蟻溝１３中においてナット２３と螺合され、Ｘ軸摺動部材２１は基台１１から上方に外れないようにされている。また、側板２２はＸ軸摺動部材２１が一点鎖線で示すＸ軸方向に移動する際の案内部材ともなっている。
【００１３】
Ｘ軸摺動部材２１は側板２２側において、ボルト２５により基台１１の任意のＸ軸方向位置において固定できるようにされている。即ち、基台１１の側部の空洞部１５内にはナット２６が挿入されており、このナット２６に対し、外側から側板２２、Ｌ字板２７、ワッシャ２８を介してボルト２５が螺合されている。ボルト２５とナット２６により、Ｌ字板２７、側板２２、空洞部１５の開口１４の辺部を挟着して、Ｘ軸摺動部材２１を基台１１に固定するようになっている。
【００１４】
また図４に示すように、Ｘ軸摺動部材２１にはＹ軸方向に案内溝２９が形成されており、Ｙ軸摺動部材３１は案内溝２９に板体状の底部３２が嵌合され、案内溝２９に沿ってＸ軸摺動部材２１に対し、Ｙ軸方向に移動自在とされている。そして、前述のボルト２４を締め付けることにより、Ｙ軸方向の任意の位置においてＹ軸摺動部材３１の底部３２をＸ軸摺動部材２１に引き付けて固定し得るようにされると共に、Ｘ軸摺動部材２１を基台１１に固定する。
【００１５】
このように、Ｘ軸摺動部材２１には２つの固定用ボルト２４、２５が設けられており、ボルト２５によりＸ軸摺動部材２１のＸ軸方向のみの摺動をロックし、ボルト２４はＹ軸摺動部材３１をＹ軸方向に固定すると共にＸ軸摺動部材２１をＸ軸方向に固定する役割りを果たしている。使用に際しては、ボルト２５によりＸ軸摺動部材２１をＸ軸方向に仮固定してから、ボルト２４によりＸ軸摺動部材２１、Ｙ軸摺動部材３１を同時に本固定することにより、Ｙ軸摺動部材３１の調整に際して、Ｘ軸方向の位置ずれを発生しないようにできる。
【００１６】
更に、Ｙ軸摺動部材３１上にはＺ軸方向に向けてねじ孔３３が刻設されており、このねじ孔３３にＺ軸移動部材４１のねじ軸４２が螺合されている。このねじ軸４２の上端には、図１に示すようにＵ字型部材４３を有する電線支持部４４が固定されている。電線支持部４４は電線支持の目的に応じてＵ字型部材４３の他に、固定クリップなどの治具を、任意に選択して取り付けることができる。またねじ軸４２には、ナット４５、ワッシャ４６が取り付けられており、電線支持部４４の高さを調節した後に、ナット４５を締め付けてねじ軸４２をＹ軸摺動部材３１に対しその位置で固定し得るようにされている。
【００１７】
図５に示すように、基台１１をハーネス組立板状に固定する固定部材５１は、上半部５２と下半部５３に分けられ、上半部５２と下半部５３は軸５４を介して回動できるようにされている。この回動はボルト５５により固定された鋼球５６、ばね５７により、下半部５３に対し上半部５２がクリック的に９０度回動できるようになっている。また、ボルト５５はナット５８、ワッシャ５９により固定されている。
【００１８】
上半部５２には上向きにボルト６０が固定されており、基台１１の固定孔１６に下方から挿通され、ナット６１を用いて基台１１に固定できるようになっている。また、下半部５３は下方に向けてボルト６２が固定されており、ハーネス組立板に設けられた孔部に挿通し、組立板の裏側からボルト６２にナットを螺合して、下半部５３を組立板に固定し得るようにされている。
【００１９】
Ｘ軸摺動部材２１は基台１１に対し所望の位置を移動して固定し、更にＹ軸摺動部材３１を案内溝２９に沿って所望の移動して固定する。また、ねじ軸４２をＹ軸摺動部材３１のねじ孔３３に対し回転することにより、ねじ軸４２の上端の電線支持部４４の高さを調整する。更に、電線支持部５５を任意の方向に向けてナット４５によりねじ軸４２を固定することにより、向きを調整することができる。
【００２０】
このように調整した基台１１を、複数個の固定部材５１を用いてハーネス組立板上に固定する。この固定状態において、基台１１は組立板の表面から所定高さ位置に設けられ、組立板上において電線束をＵ字型部材４３に掛け渡すことができる。
【００２１】
また、固定した基台１１を使用しないときは、図６に示すように、下半部５３に対し上半部５２を軸５４を中心に９０度回動することにより、基台１１をハーネス組立板上に横に倒しておくことができる。
【図面の簡単な説明】
【００２２】
【図１】実施例の斜視図である。
【図２】Ｘ軸摺動部材の断面図である。
【図３】Ｘ軸摺動部材の側面図である。
【図４】Ｙ軸摺動部材の断面図である。
【図５】基台に取り付けた固定部材の断面図である。
【図６】固定部材を回動した状態の断面図である。
【図７】従来例の治具の正面図である。
【図８】治具をハーネス作業板に取り付けて電線束を区分けする状態の斜視図である。
【符号の説明】
【００２３】
１１  基台
１６  固定孔
２１  Ｘ軸摺動部材
２２  側板
２３、２６、４５、５８  ナット
２４、２５、５５、６０、６２  ボルト
３１  Ｙ軸摺動部材
３２  底板
４１  Ｚ軸移動部材
４２  ねじ軸
４４  電線支持部
５１  固定部材
５２  上半部
５３  下半部
【図１】
2008066223.tif 000003
【図２】
2008066223.tif 000004
【図３】
2008066223.tif 000005
【図４】
2008066223.tif 000006
【図５】
2008066223.tif 000007
【図６】
2008066223.tif 000008
【図７】
2008066223.tif 000009
【図８】
2008066223.tif 000010